(57)【要約】【課題】  送粉昆虫の栽培施設内へ対象作物の開花前に導入し定着させ、開花後に速やかに訪花を促すこと。【解決手段】  受粉を必要とされる対象作物の開花前に栽培施設１に送粉昆虫の巣箱２を搬入する。栽培施設１内にあって送粉昆虫溜り３となる場所に、人工給餌器４を配置する。まず送粉昆虫溜りに集まった送粉昆虫に人工給餌器４によって吸蜜活動を行なわせ、栽培施設１内で定着させる。対象作物の開花により送粉昆虫を速やかに訪花させる。なお、人工給餌器の蜜容量不足を補填するために、必要により長期給餌用人工給餌器８を栽培施設１内に配置する。【選択図】      図８
2014087311.tif 000002
【特許請求の範囲】
【請求項１】
ミツバチ、マルハナバチ等の送粉昆虫の栽培施設への導入にあたり、
受粉を必要とされる対象作物の開花前に、栽培施設内にあって送粉昆虫の送粉昆虫溜りとなる場所に、予め人工給餌器を配置すると共に、栽培施設に送粉昆虫の巣箱を搬入し、その後に、送粉昆虫を栽培施設内に飛行させるなかで、予め送粉昆虫溜りができる場所に配置された人工給餌器から吸蜜させて、外役の送粉昆虫の餓死を予防するとともに栽培施設内で送粉昆虫を定着させ、対象作物の開花後に、速やかに訪花・採餌できるようにしたことを特徴とする送粉昆虫の栽培施設への導入法方法。
【請求項２】
前記人工給餌器と同じ蜜入りの長期給餌用人工給餌器を、栽培施設内に配置し、前記人工給餌器の蜜容量不足の解消を図ることを特徴とする請求項１記載の送粉昆虫の栽培施設への導入方法。
【請求項３】
前記の蜜として、ハチ蜜、蔗糖水、ブドウ糖水、果糖水、オリゴ糖水のいずれか又はそれらを混合したものであることを特徴とする請求項１記載の送粉昆虫の栽培施設への導入方法。
【発明の詳細な説明】
【技術分野】
【０００１】
この発明はミツバチ、マルハナバチ、ハリナシバチ等の送粉昆虫の栽培施設への導入するための方法に関する。
【背景技術】
【０００２】
ミツバチ・マルハナバチなどの送粉昆虫は、通常対象作物が開花した後に導入する。しかし、この導入は必ずしも成功するものでなく、失敗した場合には放飼した送粉昆虫の多くが死亡し、これにより対象作物の収量低下や送粉昆虫の巣の短命化が発生する。
【０００３】
このような問題に対処するため、対象作物の香り成分を添加した蜜を巣に給餌し、送粉昆虫の記憶と学習機能を利用して、直接作物の花へ誘導する方法（直接法）（特許文献１）がある。また、バニリンなどの香料を蜜に添加し、巣において給餌させると共に、栽培施設内に香料添加の蜜入り造花を配置して、送粉昆虫の記憶と学習機能を利用し、造花への誘導を図りながら、造花への吸蜜飛行を介して対象作物の花に移動させて、送粉昆虫を定着させる方法（間接法）（特許文献２）がある。
【先行技術文献】
【特許文献】
【０００４】
【特許文献１】特開２００８−２１２１４８号公報
【特許文献２】特許第４９６８５８４号公報
【発明の概要】
【発明が解決しようとする課題】
【０００５】
しかし、これら直接方法のみならず、間接方法にも、送粉昆虫の巣へ香料を添加した蜜を入れる必要があるため、作業者が刺される危険性が増すのと共に、何かの原因でこれらの方法を用いても栽培施設への導入が失敗した場合や、導入が成功しても訪花開始時期に遅延が生じた場合には、開花している作物の受粉が行なわれず、収量が減少してしまう。
【０００６】
栽培施設への導入の失敗例として、ミツバチの場合は、施設内へ放飼された後に、内部に蜜（花）を求めて飛行し、太陽の方向から、施設の上方で且つ南や西に又は南西に集まる習性を持っている。そこから、多くの個体が施設外へ出ようとするが、出ることが出来ず集まったままいわゆる“送粉昆虫溜り”を形成し、そのまま採餌できず、多くの頭数が餓死してしまう。
【０００７】
前記した送粉昆虫の栽培施設内への導入は、対象作物の開花後に導入を常としており、その対象作物の開花より前に導入すれば餌を採ることができずに送粉昆虫が餓死してしまう。しかし、対象作物の受粉作業を確実化するためには、対象作物の開花前に、栽培施設内に導入し定着させることが好ましい。
【０００８】
そこで、この発明は、送粉昆虫の栽培施設内へ対象作物の開花前に導入し定着させ、開花後に速やかに訪花を促すことを目的としている。
【課題を解決するための手段】
【０００９】
このため、この発明に係る送粉昆虫の栽培施設への導入方法は、ミツバチ、マルハナバチ等の送粉昆虫の栽培施設への導入にあたり、受粉を必要とされる対象作物の開花前に、栽培施設内にあって送粉昆虫の送粉昆虫溜りとなる場所に、予め人工給餌器を配置すると共に、栽培施設に送粉昆虫の巣箱を搬入し、その後に、送粉昆虫を栽培施設内に飛行させるなかで、予め送粉昆虫溜りのできる場所に配置された人工給餌器から吸蜜させて、外役の送粉昆虫の餓死を予防するとともに栽培施設内で送粉昆虫を定着させ、対象作物の開花後に、速やかに訪花・採餌できるようにしたことを特徴としている（請求項１）。
【００１０】
したがって、対象作物の開花前では、送粉昆虫の栽培施設内の飛行時に、施設外へ出ようとして巣箱より南側や西側の位置に送粉昆虫溜りが生まれるが、その部分に予め配置した人工給餌器から吸蜜するようになり、送粉昆虫は餓死を免れ、吸蜜と巣箱とを往復し、吸蜜活動が花の有無に関わらず、安定的に行なわれるようになる。即ち、送粉昆虫が栽培施設内で定着するため、対象作物の開花後に、速やかに訪花、採餌を開始し、送粉に供することになる。
【００１１】
また、必要により、前記人工給餌器と同じ蜜入りの長期給餌用人工給餌器を、栽培施設内に配置し、前記人工給餌器の蜜容量不足の解消を図ることを特徴としている（請求項２）。これにより、栽培施設内の送粉昆虫溜り外に、長期給餌用人工給餌器を配置して、送粉昆虫溜りに配置される人工給餌器内の蜜の容量が少ない場合に、補填する目的で用いられる。この場合に、蜜は同一のものが用いられることから、その蜜の匂いから、送粉昆虫の長期給餌用人工給餌器への移行が確実となる。
【００１２】
前記の蜜として、ハチ蜜、蔗糖水、ブドウ糖水、果糖水、オリゴ糖水のいずれか又はそれらを混合したものであることを特徴としている（請求項３）。
【発明の効果】
【００１３】
以上のように、請求項１の発明によれば、対象作物の開花前に送粉昆虫を栽培施設内に定着させ、開花後の速やかな訪花を促すものである。放飼直後の外役の送粉昆虫が集中して餓死する場所である送粉昆虫溜りに餓死防止も兼ねた人工給餌器を設置し、その人工給餌器から吸蜜することで餓死を免れながら、その後、人工給餌器から往復吸蜜が安定的に行なわれるようになる。さらに、定着後に開花した対象作物に対し、速やかに訪花を開始することになり、その結果、受粉の失敗を回避することができる。送粉昆虫を対象作物の開花前に安定的に導入することができるため、受粉を必要とする多くの施設園芸作物にも利用できる。また、この導入方法はすでに対象作物が開花している環境下でも当然使用することができ、開花以前に送粉昆虫を導入できない場合や、追加で送粉昆虫を導入するような場合にも巣へ蜜を入れる危険な作業をなくすことができる。
【００１４】
請求項２の発明によれば、送粉昆虫溜りに設置される人工給餌器の容量不足の場合には、栽培施設内に長期給餌用人工給餌器を配置して、送粉昆虫の給餌を助け、栽培施設内での送粉昆虫を定着させるもので、長期給餌用人工給餌器内の蜜を前記人工給餌器内の蜜と同じであれば、長期給餌用人工給餌器に移行しやすく、必要により香料を添加すれば、より確実性が高められることになる。
【図面の簡単な説明】
【００１５】
【図１】栽培施設内にミツバチを普通に放飼した場合には、ミツバチが飛行して南西部位に送粉昆虫溜りを作った状態を示す説明図である。
【図２】送粉昆虫溜りに多数の人工給餌器を配置し、ミツバチが往復吸蜜（吸蜜活動）が行なわれている状態を示す説明図である。
【図３】人工給餌器内の蜜が無くなり、匂をたよりに長期給餌用人工給餌器に移行状態を示す説明図である。
【図４】長期給餌用人工給餌器による往復吸蜜（吸蜜活動）が行なわれている状態の説明図である。
【図５】長期給餌用人工給餌器による往復吸蜜活動時にあって、対象作物の一部が開花し、その花に向ってミツバチが訪花した状態を示す説明図である。
【図６】人工給餌器の斜視図である。
【図７】長期給餌用人工給餌器の斜視図である。
【図８】送粉昆虫の栽培施設への導入方法のフローチャートである。
【発明を実施するための形態】
【実施例１】
【００１６】
ミツバチ、マルハナバチ、ハリナシバチ等の送粉昆虫を栽培施設１へ導入するにあたり、その具体例を説明するが、送粉昆虫としてミツバチを採用し、栽培施設として縦１０ｍ横５ｍの縦長のビニールハウスが用いられ、対象作物として、イチゴが植えられている。ミツバチは１頭の女王バチと１万頭ほどの働きバチの集団で生活している。
【００１７】
図１には送粉昆虫の栽培施設１への通常の導入の説明図が示されており、図２乃至図５には、送粉昆虫の栽培施設１への導入時の各段階時の説明図が示され、この各説明図と、図８に示す送粉昆虫の栽培施設導入の手順とをリンクさせながら、以下に説明する。
【００１８】
栽培施設１は、図１に示すように縦長で、南北方向に設置されている。この栽培施設１内にミツバチの巣箱２が、栽培施設１の北側に搬入される。この巣箱２内のミツバチは出入口が開けられて、外役のミツバチ（以下ミツバチとは外役を示す。）栽培施設１内を飛行する。巣箱は北側に配置されることが好ましいが、栽培施設１によっては東側なり西側なりに設けられることもある。栽培施設１内を飛行のミツバチは、花を求めて施設２外へ出ようとし、主に栽培施設１の南西で天井に近い部分に集まり、図１の示す送粉昆虫溜り３を作ることになる。しかし、送粉昆虫溜まり３には花は無くミツバチは吸蜜できずに餓死してしまう。
【００１９】
そこで、ミツバチの導入前又は同時に人工給餌器４を、その送粉昆虫溜り３に多数個（１２個）を図２に示すように配置する（ステップ１０１）。人工給餌器４は、図６に示すような造花６で、中心に蜜入りの吸蜜部７を有しており、栽培施設１の天井に近い部分に配置されている。人工給餌器はミツバチ等送粉昆虫が吸蜜できる構造であれば、特に造花である必要はない。また、蜜はハチ蜜、蔗糖水、ブドウ糖水、果糖水のいずれか又はそれらを混合したものである。なお、蜜には必要により香料例えばバニリンが添加される。
【００２０】
人工給餌器４の設置と同時に、必要により長期給餌用人工給餌器８が設置される。この長期給餌用人工給餌器８は前記人工給餌器４の設置スペースの関係から容量が少ない場合にそれを補填するために設けられている。長期給餌用人工給餌器８を栽培施設１内の適所、好ましくは図２に示すように、対象作物が植えられている地面に設置する（ステップ１０２）。この長期給餌用人工給餌器８の蜜には、必要により香料例えばバニリンが添加されていて、その際には、前記人工給餌器にも香料例えばバニリンが添加され、前記人工給餌器４と同じ匂いとなっている。この長期給餌用人工給餌器８は図７に示すような構造を持ち、吸蜜部９と蜜を入れるタンク１０とよりなっている。
【００２１】
栽培施設１内に巣箱２が搬入され（ステップ１０３）、施設内の飛行を開始したミツバチ（ステップ１０４）は、花を求めて施設２外へ出ようとし、主に栽培施設１の南西で天井に近い部分に集まり、図１および図２の示すハチ溜り３を作ることになる（ステップ１０５）。しかし、花は無くミツバチは吸蜜できずに餓死してしまう恐れがあるが、今回は人工給餌器４が設置してある。
【００２２】
その人工給餌器４は図６に示すような造花６で、中心に蜜入りの吸蜜部７を有しており、栽培施設１の天井に近い部分に配置されている。そのため、ミツバチは人工給餌器４に集まり、必要により匂いを付けられた蜜を吸蜜するようになる（ステップ１０６）。これにより、ミツバチの餓死は免れると共に、その匂いと蜜とを結びつけて連合学習するようになる。
【００２３】
人工給餌器４の蜜の容量が充分に入る容器が用いられるなら、この人工給餌器４から吸蜜を始め、その蜜を巣に運ぶ帰巣を開始する（ステップ１０８）、そして、再び巣から出る出巣（ステップ１０９）が行なわれ、人工給餌器４に飛来する。即ち、図２に示すように、ミツバチは対象作物１２の開花がないにもかかわらず、栽培施設に定着する。
【００２４】
しかし、人工給餌器４の設置場所の関係から、蜜の容量が少ない場合がある。このような場合に蜜に匂いが付けられている。前記人工給餌器４の蜜がなくなると、同じ匂いの香料を添加した長期給餌用人工給餌器８を探索し、図３に示すように移行する（ステップ１０７）。そこで吸蜜を始めて、その蜜を巣に運ぶ帰巣を開始する（ステップ１０８）。そして、再び巣から出る出巣（ステップ１０９）が行なわれ、長期給餌用人工給餌器８に飛来する。即ち、図４に示すように、ミツバチは対象作物１２の開花がないにもかかわらず栽培施設に定着する。
【００２５】
表１は人工給餌器及び長期給餌用人工給餌器４，８を用いて放飼したミツバチの５分間あたりの出・帰巣数を表わし、表２は人工給餌器及び長期給餌用人工給餌器４，８を用いて放飼した翌日のミツバチの５分間あたりの出・帰巣数を表わしている。この表１，２から、ミツバチが巣から出て、又は巣へ帰ることが活発に行なわれていることを知ることができる。
【００２６】
【表１】
2014087311.tif 000003
【００２７】
【表２】
2014087311.tif 000004
【００２８】
ミツバチの往復吸蜜（吸蜜活動）が行なわれて、栽培施設１内を飛行中に、ミツバチの持つ本来的な性質から、飛行探索（ステップ１１０）が行なわれ、対象作物１２の一部が開花すると、図５に示すように、ただちに訪花し、採餌するようになる。即ち、対象作物に訪花し吸蜜・採餌するようになり、餌の持帰り動作が行なわれ、栽培施設のミツバチの導入が完了する。
【００２９】
供試したイチゴ、ノースポール、セイタカアワダチソウ、セイヨウタンポポ、トマト、ナス、タバコ、キュウリ、ソラマメに、送粉昆虫は、開花後はその直後から訪花し、採餌が見られた。
【００３０】
この実施例では、ミツバチを採用した例であるが、この発明が同じ送粉昆虫であるマルハナバチ、ハリナシバチにも利用できることは勿論である。
【符号の説明】
【００３１】
１      栽培施設
２      巣箱
３      ハチ溜り
４      人工給餌器
６      造花
７      吸蜜部
８      長期給餌用人工給餌器
９      吸蜜部
１２    対象作物
【図１】
2014087311.tif 000005
【図２】
2014087311.tif 000006
【図３】
2014087311.tif 000007
【図４】
2014087311.tif 000008
【図５】
2014087311.tif 000009
【図６】
2014087311.tif 000010
【図７】
2014087311.tif 000011
【図８】
2014087311.tif 000012